(57)【特許請求の範囲】
【請求項１】
駆動軸と補助軸とを一体に揺動可能として有すると共に、駆動軸と補助軸との間に回転部材を有し、前記駆動軸と補助軸とは相互に平行且つ回転部材の回転平面とは垂直な揺動平面を有し、駆動軸と補助軸との中間に位置する回転部材は、駆動軸や補助軸と接触し得る長さの突起部であって駆動軸と補助軸とに同時には接触しないように周方向に配置されて外方に突出する突起部を備えていることを特徴とする時計用装飾体駆動機構。
【請求項２】
駆動軸と補助軸とを一体に揺動可能として有すると共に、駆動軸と補助軸との間に回転部材を有し、前記駆動軸と補助軸とは相互に平行且つ回転部材の回転平面とは垂直な揺動平面を有し、駆動軸と補助軸との中間に位置する回転部材は、駆動軸や補助軸と接触し得る長さの突起部であって、その周方向に１個の突起部又は回転周方向に等間隔角度とする奇数個の突起部を外方に突出させていることを特徴とする時計用装飾体駆動機構。
【請求項３】
駆動軸と補助軸とを一体に揺動可能として有すると共に、駆動軸と補助軸との間に回転部材を有し、前記駆動軸と補助軸とは相互に平行且つ回転部材の回転平面とは垂直な揺動平面を有し、駆動軸と補助軸との中間に位置する回転部材は、駆動軸や補助軸と接触し得る長さの突起部であって駆動軸と補助軸とに同時には接触しないように周方向に配置されて外方に突出する突起部を備え、又、回転部材の回転軸と同軸又は平行とした回動軸を有する回動台を回転部材の上方又は下方に有し、回動台と駆動部材の先端近くとを係合させることにより回動台に駆動軸の揺動に合わせた往復回動をさせることを特徴とする時計用装飾体駆動装置。
【請求項４】
駆動軸と補助軸とを一体に揺動可能として有すると共に、駆動軸と補助軸との間に回転部材を有し、前記駆動軸と補助軸とは相互に平行且つ回転部材の回転平面とは垂直な揺動平面を有し、駆動軸と補助軸との中間に位置する回転部材は、駆動軸や補助軸と接触し得る長さの突起部であって駆動軸と補助軸とに同時には接触しないように周方向に配置されて外方に突出する突起部を備え、回転部材の上方又は下方に水平な回動軸を有する揺動部材を有し、揺動部材と一体とするアーム部を駆動軸と係合させると共に、揺動部材に装飾体を載置したときの重心を回動軸の上方とし、駆動軸が所定の揺動幅で停止するストッパーを有することを特徴とする時計用装飾体駆動装置。
【請求項５】
駆動軸と補助軸とを一体に揺動可能として有すると共に、駆動軸と補助軸との間に回転部材を有し、前記駆動軸と補助軸とは相互に平行且つ回転部材の回転平面とは垂直な揺動平面を有し、駆動軸と補助軸との中間に位置する回転部材は、駆動軸や補助軸と接触し得る長さの突起部であって駆動軸と補助軸とに同時には接触しないように周方向に配置されて外方に突出する突起部を備え、回転部材の上方又は下方に水平な回動軸を有する揺動部材を有し、駆動軸と補助軸とは揺動部材に一体とされ、駆動軸及び補助軸を備えた揺動部材に装飾体を載置したときの重心を回動軸の上方とし、駆動軸及び補助軸が所定の揺動幅で停止するストッパーを有することを特徴とする時計用装飾体駆動装置。
【発明の詳細な説明】
【０００１】
【発明の属する技術分野】
本発明は、置き時計や掛け時計の装飾体に関するものであり、尚詳しくは、装飾体の駆動機構に関するものである。
【０００２】
【従来の技術】
今日、置き時計や掛け時計などの時計体は、水晶発振器を用いることにより極めて正確な秒信号を形成し、デジタル表示の時計体では、パルスカウンタにより秒信号をカウントしてカウント値による正確な時刻を表示し、又、アナログ式の時計体では、ステップモータにより秒信号に基づいて指針を駆動し、正確な時刻を表示している。
【０００３】
しかし、これらの時計体においても、文字板などの時刻表示部により正確な時刻を表示する機能だけでなく、モーターや磁石を用いて駆動する装飾体を時計体に取り付け、時計体を見る楽しさを与え、又、電池などの消耗により停止しているのではなく、時計体が作動していることを確認できる安心感を与える時計体とされることが多い。
【０００４】
そして、これらの時計体に取り付けられる装飾体としては、多くの場合、支点に吊り下げられて左右に揺動する振り子に類似した飾り振り子や、人形等を回転させる回転飾りなどが多く用いられている。
尚、時計用の装飾体は、人形や振り子などの形状を異ならせたものや動作に変化を与えたもの、又、動作をゆっくりさせるものなど、僅かではあっても差異を設けることにより、面白味に変化を与えて時計体毎に雰囲気が異なるようにしている。
【０００５】
【発明が解決しようとする課題】
前述のように、水晶発振器やステップモータを用いるアナログ式の時計体は、飾り振り子などの動きのある装飾体を設け、この装飾体を作動させることにより時計体が作動していることを明示すると共に、その動作を見せて安心感と面白味とを与えることとしている。
【０００６】
しかし、飾り振り子による左右への単調な揺動だけでは、装飾体の動きとして面白味が不足することもあり、時計用の装飾体としては、単純な構造ではあっても、変化のある装飾体の動きが要望されている。
又、左右に往復するように揺動する振り子においては、ゆっくりとした動きは支点と重心との距離を大きくする必要があるため、装飾体が大きくなり、装飾体を取り付ける時計体が限定される欠点があった。
【０００７】
本発明は、上述の欠点を排除し、且つ、簡単な構造でゆったりした動作を装飾体に与えるため、ゆっくりとした往復運動と共に、折り返し時に一旦動作を停止し、落ち着いた動作を装飾体に行わせることを容易に可能とする時計用装飾体の駆動機構及びこの駆動機構を用いた駆動装置を提供するものである。
【０００８】
【課題を解決するための手段】
本発明は、駆動軸と補助軸とを一体に揺動可能として有すると共に、駆動軸と補助軸との間に回転部材を有し、駆動軸と補助軸とは相互に平行に且つ回転部材の回転平面と垂直な揺動平面を有し、駆動軸と補助軸との中間に位置する回転部材は、駆動軸や補助軸と接触し得る長さの突起部であって駆動軸と補助軸とに同時には接触しないように周方向に配置されて外方に突出する突起部を備えた時計用装飾体の駆動機構とする。
【０００９】
このように、一体に揺動する駆動軸と補助軸との中間に設けた回転部材は、駆動軸と補助軸とに接触する長さとした突起部であって、且つ、駆動軸と補助軸とに同時には接触しないように配置した突起部を備えるため、この駆動機構は、回転部材の回転軸を一方向に回転させることにより、突起部を駆動軸に接触させて駆動軸及び補助軸を一方に揺動させ、突起部が駆動軸と離れたとき、当該突起部又は他の突起部を補助軸と接触させて補助軸及び駆動軸を他方向に揺動させることができ、駆動軸の往復揺動を繰り返させることができる。
【００１０】
そして、駆動軸の往復揺動に際し、突起部が駆動軸から離れた後に突起部が補助軸に接触するまでの時間及び突起部が補助軸から離れた後に突起部が駆動軸に接触するまでの時間は駆動軸の揺動が停止するため、一旦停止を行いつつゆったりした揺動を繰り返して行わせることができることになる。
又、本発明としては、駆動軸と補助軸とを一体に揺動可能として有すると共に、駆動軸と補助軸との間に回転部材を有し、駆動軸と補助軸とは相互に平行に且つ回転部材の回転平面と垂直な揺動平面を有し、駆動軸と補助軸との中間に位置する回転部材は、駆動軸と補助軸とに接触する長さとした突起部であって周方向に１個の突起部又は回転周方向に等間隔角度で奇数個の突起部を備えた時計用装飾体の駆動機構とする。
【００１１】
このように、一体に揺動する駆動軸と補助軸との中間に設けた回転部材は、駆動軸と補助軸とに接触する長さとした奇数個の突起部を有し、この奇数個の突起部を備えた回転部材を有する駆動機構は、回転軸を一方向に回転させることにより、突起部を駆動軸及び補助軸に同時に接触することなく突起部を駆動軸や補助軸に接触させ、一つの突起部が駆動軸に接触して駆動軸及び補助軸を一方に揺動させ、又、突起部が駆動軸と離れたとき、当該突起部又は他の突起部が補助軸と接触して補助軸及び駆動軸を他方向に揺動させることができ、駆動軸の往復揺動を繰り返させることができるものであり、駆動軸の往復揺動に際し、突起部が駆動軸から離れた後に突起部が補助軸に接触するまでの時間及び突起部が補助軸から離れた後に突起部が駆動軸に接触するまでの時間は駆動軸の揺動が停止し、一旦停止を行いつつ、ゆったりした揺動を繰り返すものである。
【００１２】
更に、本発明としては、上述の駆動機構を用いた時計用装飾体の駆動装置として、装飾体駆動機構における回転部材の回転軸と同軸又は平行とする回動軸を有する回動台を回転軸の上方又は下方に設け、回動台と駆動軸の先端近くとを係合させることにより、駆動軸の揺動に合わせて回動台を往復回動させる駆動装置とするものである。
【００１３】
このように、一旦停止を含むゆったりした揺動を行う装飾体駆動機構の駆動軸の先端近くと係合する回動台を回転軸の上方又は下方に設けるから、装飾体駆動機構における駆動軸の揺動に合わせ、回動台にゆったりした往復回動を行わせることができる。
又、本発明としては、前述の駆動機構を用いた時計用装飾体の駆動装置として、駆動機構における回転部材の回転軸の上方又は下方に水平な回動軸を有する揺動部材を設け、揺動部材と一体とするアーム部を駆動軸と係合させると共に、揺動部材に装飾体を載置したときの重心を回動軸の上方とし、駆動軸が所定の揺動幅で停止するストッパーを設けた駆動装置とするものである。
【００１４】
このように、水平な回動軸を有する揺動部材を回転部材の上方又は下方に設けるから、この揺動部材の端部を上下に揺動させることができ、揺動部材と一体のアーム部を駆動機構の駆動軸と係合させているから、駆動軸の揺動に合わせ、揺動部材を垂直な回動面で回動させるように作動させ、揺動部材の両端にゆったりした往復上下動を行わせることができる。
【００１５】
更に、本発明としては、駆動軸と補助軸とを一体に揺動可能として有すると共に、駆動軸と補助軸との間に回転部材を有し、前記駆動軸と補助軸とは相互に平行且つ回転部材の回転平面とは垂直な揺動平面を有し、駆動軸と補助軸との中間に位置する回転部材は、駆動軸や補助軸と接触し得る長さの突起部であって駆動軸と補助軸とに同時には接触しないように周方向に配置されて外方に突出する突起部を備え、回転部材の上方又は下方に水平な回動軸を有する揺動部材を有し、前記駆動軸と補助軸とは揺動部材に一体とされ、駆動軸及び補助軸を備えた揺動部材に装飾体を載置したときの重心を回動軸の上方とし、駆動軸及び補助軸が所定の揺動幅で停止するストッパーを設けた駆動装置とするものである。
【００１６】
このように、水平な回動軸を有する揺動部材を回転部材の上方又は下方に設けるから、この揺動部材の端部を上下に揺動させることができ、揺動部材と一体の駆動軸と補助軸との中間に駆動軸や補助軸と接触し得る長さにして駆動軸と補助軸とに同時には接触しない突起部を備えた回転部材を有しているから、回転部材の回転軸を一方向に回転させることにより、突起部を駆動軸に接触させて駆動軸及び補助軸を一方に揺動させ、突起部が駆動軸と離れたとき、当該突起部又は他の突起部を補助軸と接触させて補助軸及び駆動軸を他方向に揺動させることができ、駆動軸の往復揺動を繰り返させることができるものであって、駆動軸の揺動に合わせて揺動部材の両端にゆったりした往復上下動を行わせることができるものである。
【００１７】
【発明の実施の形態】
本発明に係る時計用装飾体の駆動機構は、図１に示すように、モーター３１の回転軸３３を挟むようにして回転軸３３と平行に揺動する駆動軸１１及び補助軸１３を備え、駆動軸１１と補助軸１３との間には、外周に駆動軸１１や補助軸１３と接触する突起部２１，２２，２３を有する回転板１７を回転部材として回転軸３３に取り付けた装飾体駆動機構１０とするものである。
【００１８】
そして、この装飾体駆動機構１０は、図２及び図３に示すように、回動台６１を有する固定部５１の下方に組み込み、駆動軸１１を回動台６１に係合させることにより、装飾体を載置する回動台６１を回動させる装飾体駆動装置とするものである。
この装飾体駆動機構１０の回転板１７は、モーター３１の回転軸３３に取り付けて水平方向に低速で回転させるものであり、モーター３１には、低速で回転するフラットモーター３１又は減速歯車を組み込んだギヤードモーター３１などを用い、回転軸３３の回転速度を１分間に数回転乃至十回転程度としている。
【００１９】
尚、直流フラットモーター３１を用いる場合は、低消費電流で回転軸３３を低速回転させることができ、電池の寿命を長くすることが容易に可能となるものである。
又、軸方向を鉛直方向とする回転軸３３に取り付ける回転部材は、回転板１７の周囲に等間隔とした３個又は５個などの奇数個の突起部２１，２２，２３を外方に突出させるものである。
【００２０】
そして、回転板１７及び回転軸３３の両側には、駆動軸１１と補助軸１３とを平行として設けるものであり、棒状の駆動軸１１の下端を第１揺動支持部４３により揺動可能として台座４１に固定するように支持し、棒状の補助軸１３の下端を第２揺動支持部４４により揺動可能として同様に台座４１に固定するように支持するものである。
又、この第１揺動支持部４３と第２揺動支持部４４は、回転軸３３を挟んで回転軸３３の軸線と直交する線上に設けるものであり、この第１揺動支持部４３は駆動軸１１を回転板１７と垂直な鉛直平面内を揺動させるように支持するものであって、第２揺動支持部４４は補助軸１３を回転軸３３と平行な揺動平面であって駆動軸１１の揺動平面と平行な鉛直平面内を揺動させるように支持するものである。
【００２１】
更に、回転軸３３の軸線から駆動軸１１の揺動平面までの距離と回転軸３３の軸線から補助軸１３の揺動平面までの距離とが等しくなるように第１揺動支持部４３により駆動軸１１を、又、第２揺動支持部４４により補助軸１３を支持している。
そして、駆動軸１１と補助軸１３とを平行とするように連結部１５により接続し、駆動軸１１と補助軸１３とを一体として左右に揺動させることができるようにすると共に、図４に示すように、駆動軸１１と補助軸１３との中央に位置する回転板１７の周囲には、等間隔に３個の突起部２１，２２，２３を設け、第１突起部２１、第２突起部２２、及び、第３突起部２３の各突起部２１，２２，２３は、駆動軸１１及び補助軸１３と接触する長さとして回転板１７から外方に突出させると共に、駆動軸１１の揺動平面に垂直にして回転軸３３の中心を通る水平な直線から水平に約３０度回転した位置で駆動軸１１から突起部２１，２２，２３が離れる長さとして回転板１７から外方に突出させている。
【００２２】
又、補助軸１３には、この突起部２１，２２，２３と接触する接触部１４を設けるものであり、この接触部１４は、図１及び図４や図５に示すように、補助軸１３の揺動平面内又は揺動平面よりも回転軸３３に僅かに近づけた位置であって、突起部２１，２２，２３の回転方向に合わせて補助軸１３よりも後退した位置に突起部２１，２２，２３と接触させる箇所を形成するように、補助軸１３に湾曲部を形成して接触部１４としているものである。
【００２３】
このため、図４の（１）に示すように、第１突起部２１が駆動軸１１と接触しているとき、回転軸３３と一体に回転する回転板１７の回転により駆動軸１１を左方に移動させることができ、連結部１５により一体とされる補助軸１３も一緒に左方に移動させることができる。
そして、図４の（２）に示すように、第１突起部２１が駆動軸１１から離れる位置まで回転したとき、補助軸１３は接触部１４を各突起部２１，２２，２３が描く円内に残して突起部２１，２２，２３と接触しない位置に移動している。
【００２４】
従って、更に回転軸３３及び回転板１７が回転すると、第２突起部２２が補助軸１３の接触部１４と接触し、回転板１７の回転に合わせて第２突起部２２が補助軸１３を右方に移動させ、図４の（３）に示すように、第２突起部２２が接触部１４から離れるとき、補助軸１３と一体に右方に移動した駆動軸１１を各突起部２１，２２，２３の先端が描く円内に残すようにするものである。
【００２５】
このようにして、図５の（１）に示すように、例えば第３突起部２３が駆動軸１１から離れるときには第１突起部２１を接触部１４の直前に位置させて駆動軸１１の左方への移動を停止させることになる。そして、この直後に第１突起部２１を接触部１４と接触させ、補助軸１３及び駆動軸１１を右方に移動させ、回転板１７が約６０度回転すると、図５の（２）に示すように、第１突起部２１が接触部１４から離れて駆動軸１１及び補助軸１３の揺動を停止させる。このとき、第２突起部２２が駆動軸１１と接触する直前に位置し、回転板１７の回転によって直後には第２突起部２２が駆動軸１１に接触し、駆動軸１１の左方への揺動を開始させる。そして、更に回転板１７が約６０度回転したとき、図５の（３）に示すように、第２突起部２２が駆動軸１１から離れ、第３突起部２３が接触部１４の直前に位置することになる。従って、直後に第３突起部２３が接触部１４に接触して駆動軸１１や補助軸１３を右方に揺動させ、図５の（４）に示すように、第３突起部２３が接触部１４と離れるとき、第１突起部２１が駆動軸１１の直前に位置し、駆動軸１１や補助軸１３の移動を一旦停止させた後、回転板１７の回転により第１突起部２１が駆動軸１１を左方に揺動させ、図５の（５）に示すように、第１突起部２１が駆動軸１１から離れるとき、第２突起部２２を接触部１４の直前に位置させる。そして、第２突起部２２が接触部１４と接して駆動軸１１及び補助軸１３を右方に揺動させ、図５の（６）に示すように、第２突起部２２が接触部１４から離れるとき、第３突起部２３を駆動軸１１の直前に位置させ、直後に第３突起部２３を駆動軸１１に接触させて駆動軸１１を左方に揺動させ、図５の（１）に示したように、第３突起部２３が駆動軸１１から離れるとき、第１突起部２１を接触部１４の直前に位置させるものである。
【００２６】
尚、台座４１にはストッパー４５を駆動軸１１の両側に設け、駆動軸１１が各突起部２１，２２，２３から離れたとき、及び、補助軸１３の接触部１４が各突起部２１，２２，２３から離れたとき、駆動軸１１が更に傾かないように駆動軸１１の揺動幅を規制することが好ましい。
又、突起部２１，２２，２３の長さは、駆動軸１１の揺動平面に垂直な直線で回転中心を通る直線から約３０度の角度で駆動軸１１から離れる長さとする場合のみでなく、突起部２１，２２，２３の長さを多少短くし、又は回転軸３３から駆動軸１１や補助軸１３までの距離を多少大きくすることにより、駆動軸１１の揺動平面に垂直な直線で回転中心を通る直線から３０度以下の回転角で駆動軸１１から離れるようにし、駆動軸１１が往復揺動するに際して一旦停止する時間を多少長くすることもある。
【００２７】
更に、突起部２１，２２，２３の数は３個に限るものでなく、奇数個である５個とし、図６に示すように、第１突起部２１乃至第５突起部２５を３６度間隔に設け、各突起部２１〜２５が駆動軸１１の揺動平面及び補助軸１３の揺動平面と垂直な直線と約１８度の角度で駆動軸１１から離れるようにすることもある。
このように、一体に揺動する駆動軸１１と補助軸１３との中央に回転軸３３を配置し、この回転軸３３に回転部材としての突起部２１，２２，２３を備えた回転板１７を取り付け、突起部２１，２２，２３は回転板１７の周囲に等間隔に奇数個である３個又は５個などを設けるものであり、各突起部２１，２２，２３の長さを駆動軸１１や補助軸１３と接触し得る長さとし、且つ、各突起部２１，２２，２３が３個の場合は、駆動軸１１及び補助軸１３の揺動平面に対して垂直な直線であって回転板１７の回転中心を通る直線から約３０度回転した位置で補助軸１３の接触部１４や駆動軸１１から離れる長さの突起部２１，２２，２３としているから、この回転板１７を回転させると、各突起部２１，２２，２３が同時に駆動軸１１と補助軸１３とに接触することがなく、駆動軸１１と接触して駆動軸１１を左方に揺動させ、一旦短い停止を行った後、突起部２１，２２，２３の内の一つを補助軸１３の接触部１４に接触させて補助軸１３と駆動軸１１とを右方に揺動させ、一旦短い停止を行った後、再度左方に駆動軸１１を揺動させるようにして、回転板１７の１回転で駆動軸１１を３往復させるように揺動させることができる。
【００２８】
従って、回転板１７の回転速度を、１分間に数回転乃至十回転程度としておくことにより、１分間に十乃至数十往復の運動にして、一方に移動した後、一旦停止を行って他方に移動するゆったりと落ち着いた往復動作をさせることができる。又、このように、回転軸３３を鉛直とする駆動機構１０は、駆動軸１１の左右への揺動を小さな力で行うことができ、モーター３１の消費電力を少なくして電池を長寿命とすることができる。
【００２９】
尚、図１乃至図６には、回転部材として、回転板１７の周囲に突起部２１，２２，２３を３個又は５個形成しているも、奇数個の突起部２１，２２，２３を回転板１７に設ける場合に限ることなく、回転軸３３から３方又は５方などに突出する棒状の突起部とし、回転板１７を省略した回転部材とすることもある。
尤も、回転板１７の周囲に突起部２１，２２，２３を設けた回転部材とする場合は、各突起部２１，２２，２３自体の長さを長くする必要がなく、強度を有する突起部２１，２２，２３を備えた回転部材の形成が容易となるものである。
【００３０】
又、１個の突起部２１により駆動軸１１や補助軸１３を左右に往復揺動させることもある。
尤も、３個の突起部２１，２２，２３又は５個の突起部２１〜２５とすれば、駆動軸１１や補助軸１３の往復揺動に際しての一旦停止時間を短くし、動作に間延びを生じさせることがなく、更に、３個とすれば、駆動軸１１の揺動角度を容易に大きくすることができるものである。
【００３１】
そして、補助軸１３の接触部１４を、図７に示すように、大きく後退させるように補助軸１３を湾曲させ、図８に示すように、回転部材としては回転板１７の周囲に偶数個の突起部２１，２２，２３，２４，２５・・・・を設けることもある。
この場合は、第１揺動支持部４３の上方を左右に揺動する駆動軸１１の揺動範囲を図８に示すように回転部材の回転中心からずらし、駆動軸１１の揺動範囲と突起部２１，２２，２３，２４，２５・・・・の回転面とが交差する揺動量ｔ、即ち、駆動軸１１が突起部２１，２２，２３，２４，２５・・・・と接触して駆動軸１１及び補助軸１３が揺動する突起部２１，２２，２３，２４，２５・・・・の回転面上の移動量である揺動量ｔの長さに対して補助軸１３を湾曲させて接触部１４を形成する際の接触部１４の後退量Ｔを揺動量ｔの２倍余りの長さとして補助軸１３の接触部１４を形成するものである。
【００３２】
尚、この場合は、駆動軸１１の揺動平面と回転軸３３との距離よりも、補助軸１３の揺動平面と回転軸３３との距離を僅かに大きく設定し、接触部１４は補助軸１３の揺動平面よりも内側に位置させることが好ましい。
このように、接触部１４の後退量Ｔを揺動量ｔの２倍余りと大きく後退させるように湾曲させた補助軸１３を用いることにより、図９の（１）に示すように、第１突起部２１が駆動軸１１の直前に位置する状態から回転板１７の回転により第１突起部２１が駆動軸１１に接触し、図９の（２）に示すように、第１突起部２１が駆動軸１１を揺動量ｔだけ移動させて駆動軸１１から離れるとき、第１突起部２１の対象位置に位置する突起部としての第５突起部２５に対して補助軸１３の接触部１４も揺動量ｔだけ移動して第５突起部２５に接近し、第５突起部２５の直前に補助軸１３の接触部１４が位置することになり、第１突起部２１が駆動軸１１から離れた直後に第５突起部２５が接触部１４に接触し、駆動軸１１及び補助軸１３を逆方向に揺動量ｔだけ移動させ、図９の（３）に示すように、第５突起部２５が接触部１４から離れるとき、第２突起部２２が駆動軸１１の直前に位置するものである。
【００３３】
このように、駆動軸１１及び補助軸１３の揺動範囲を回転部材の回転中心である回転軸３３から一方にずらし、接触部１４の後退量Ｔや回転板１７の周囲に等間隔に配置する突起部２１，２２，２３，２４，２５・・・・の間隔を揺動量ｔの約２倍以上とすることにより、突起部２１，２２，２３，２４，２５・・・・の偶数個を等間隔として配置した回転部材であって、回転板１７の回転中心を中心として対象の位置に突起部２１，２２，２３，２４，２５・・・・が配置される場合であっても、突起部２１，２２，２３，２４，２５・・・・を補助軸１３の接触部１４や駆動軸１１に交互に接触させて駆動軸１１や補助軸１３へ同時に接触しないようにし、一体とした駆動軸１１や補助軸１３を左右に揺動させ、且つ、揺動方向を変える際には一旦停止した時間を形成することができる。
【００３４】
そして、偶数個とする突起部２１，２２，２３，２４，２５・・・・は、図８に示したように８個を等間隔に設ける場合のみでなく、４個又は６個を等間隔角度に配置する場合もある。
尚、突起部２１，２２，２３，２４，２５・・・・を偶数個設ける回転部材の場合は、例えば右か左に揺動方向を変える場合の一旦停止時間と、左から右に揺動方向を変える場合の一旦停止時間とが異なる場合が多く、揺動方向を変える際の一旦停止時間を常に一定とする場合には、前述のように、突起部２１，２２，２３，２４，２５の数を奇数個とし、回転部材の回転中心を駆動軸１１の揺動平面と補助軸１３の揺動平面との中央とすることにより、回転部材とする突起部２１，２２，２３を備えた回転板１７や駆動軸１１及び補助軸１３の配置及び形状を容易に設定することができる。
【００３５】
尚、駆動軸１１や補助軸１３の揺動に際しての機械的抵抗が極めて小さい場合は、駆動軸１１及び補助軸１３の重心が第１揺動支持部４３と第２揺動支持部４４とを結ぶ直線の上方を越えるまでは突起部により駆動軸１１及び補助軸１３が揺動し、重心が第１揺動支持部４３と第２揺動支持部４４とを結ぶ直線の上方を越えると駆動軸１１及び補助軸１３の自重により突起部から離れるようにして駆動軸１１及び補助軸１３は駆動軸１１がストッパー４５の位置まで移動することになるものである。
【００３６】
そして、この駆動機構１０を用いて装飾体駆動装置とする場合は、図２及び図３に示したように、板状の固定部５１を固定脚５３により台座４１に取り付けて固定部５１を回転板１７の上方に配置し、この固定部５１には、回転軸３３と同軸とする鉛直方向の回動軸６３を備えた回動台６１を取り付け、回動台６１は回動軸６３により固定部５１に対して回転自在とすると共に、回動台６１と駆動軸１１とを係合させることによって回動台６１を回動可能とした装飾体駆動装置とするものである。
【００３７】
従って、この装飾体駆動機構１０を組み込んだ装飾体駆動装置では、駆動軸１１の揺動によって回動台６１に一定の回動幅とする往復回動を行わせることができることになる。
尚、回動台６１と駆動軸１１との係合は、図２に示したように、回動台６１から駆動軸１１を挟むように２本の棒状体を係合部６５として突出させる場合のみでなく、回動台６１から板状の係合部６５を突出させ、板状の係合部６５に回動台６１の中心方向に長軸を有する長穴を設けて駆動軸１１を長穴に挿入する場合や、回動台６１に直接に回動台６１の中心方向に長軸を有する長穴を設けて駆動軸１１を長穴に挿入する場合、回動台６１に突起状の係合部を設け、駆動軸１１の先端を二股として突起状の係合部を挟む場合など、種々の係合手段を用いることができる。
【００３８】
そして、この回動台６１に装飾体を載置することにより、装飾体をゆっくり左右に回動させると共に、回動方向を変化させる際、一旦停止状態として逆方向への回動を開始させ、ゆったりとした動きを見せるようにすることができる。
又、回動台６１を回動軸６３により固定部５１へ取り付ける際、回動台６１を回動軸６３に対して回転自在とすると共に、回動台６１の下面及び固定部５１の上面に各々反発磁石５５，５６を設けることがある。
【００３９】
この各反発磁石５５，５６は、環状形状の永久磁石を回動軸６３と同軸として設けるものであり、固定部５１に設ける反発磁石５５の上面と回動台６１に設ける反発磁石５６の下面とを同極としておくものである。
従って、回動台６１は、両反発磁石５５，５６の反発力により固定部５１から浮き上がり、小さな摺動抵抗で回転させることができるため、駆動機構１０に用いるモーター３１の消費電力を少なくし、電池の寿命を長くすることができる。
【００４０】
尚、回動軸６３を回動台６１と一体とし、回動軸６３を固定部５１に回転自在に挿入することもある。
このように装飾体駆動機構１０の駆動軸１１と係合手段により係合された回動台６１は、回動台６１の回動角度を９０度乃至１００度程度以下とすることが容易であり、装飾体の回動幅を大きくすることがなく、横幅のある装飾体を載置することにより、幅に対して奥行きが小さな時計体に組み込む装飾体を横に大きくして見栄えのある装飾体とし、この見栄えのある装飾体をゆったりと揺動させることができ、重厚な動きを見せることができる装飾体駆動装置とすることができるものである。
【００４１】
又、装飾体は回動台６１に載置する場合のみでなく、回動軸６３へ直接に装飾体を取り付け、回動軸６３から外方に突出するアームなどを駆動軸１１と係合させることもある。
このように、駆動軸１１と補助軸１３とを一体に揺動可能として有すると共に、駆動軸１１と補助軸１３との間にモーター３１の回転軸３３及び回動部材である突起部２１，２２，２３を備えた回転板１７を有し、駆動軸１１と補助軸１３とは相互に平行に且つ回転部材の回転平面と垂直な揺動平面を有し、駆動軸１１と補助軸１３との中間又は中央に位置する回転部材は、周方向に１個の突起部２１又は回転周方向に等間隔角度で奇数個の突起部２１，２２，２３か等間隔角度に配置した偶数個の突起部２１，２２，・・を有し、各突起部２１，２２，２３は駆動軸１１や補助軸１３と接触し得る長さであって同時には駆動軸１１や補助軸１３と接触しない配置とされ、回転軸３３と同軸とする回動軸６３を備えた装飾体に駆動軸１１を直接又は間接的に係合させて装飾体を駆動軸１１により回動させる時計用の装飾体駆動装置は、人形等の装飾体にゆったりとした回転往復運動を行わせ、落ち着いた装飾体の動作を見せることができる。
【００４２】
尚、回転軸３３と回動軸６３とは同軸とする場合に限るものでなく、回転軸３３と回動軸６３とが平行であれば、回転軸３３と回動軸６３とが多少ずれていても駆動軸１１により回動台６１を回動させることができるものである。
又、回動台６１は、駆動機構１０の上方に設ける場合のみでなく、装飾体駆動機構１０の下方に設けることもある。
【００４３】
この回動台６１を装飾体駆動機構１０の下方に設ける場合は、駆動軸１１を第１揺動支持部４３よりも下方に延設し、第１揺動支持部４３及び第２揺動支持部４４により支持される駆動軸１１及び補助軸１３や連結部１５の重心位置を第１揺動支持部４３及び第２揺動支持部４４よりも上方に位置させつつ第１揺動支持部４３よりも下方に延設した駆動軸１１の下端又は下端近くを回動台６１と係合させるものである。
【００４４】
更に、時計用の装飾体駆動装置としては、図１０に示すように、装飾体駆動機構１０の駆動軸１１と係合する係合部６５を備えたアーム部６６、及び、アーム部６６と一体とした揺動杆であって左右両端に人形７３を取り付けている揺動部材７１を設けることもある。
この場合は、揺動杆である揺動部材７１が駆動軸１１の揺動平面と平行な揺動平面を有するように、水平な回動軸を有する平板状又は棒状の揺動部材７１を揺動可能に装飾体支持部５７で固定部５１に支持するものである。
【００４５】
そして、この人形７３を備えた揺動部材７１、及び、アーム部６６や係合部６５による可動部分の重心Ｇは、図１１に示すように、装飾体支持部５７の水平な先端と略一致させるようにするか、又は、重心Ｇを装飾体支持部５７の僅か上方に位置させるようにして、装飾体支持部５７の先端位置を回動中心として揺動部材７１の左右両端を上下に揺動可能とするものである。
【００４６】
従って、この揺動部材７１は、その両端を交互にゆっくりと上下させ、人形７３が最上点や最下点で一旦停止しつつ上下にゆっくりと移動する落ち着いた動きをさせることができる。
そして、可動部分の重心を装飾体支持部５７の僅かに上方に位置させる場合は、回転板１７の突起部２１，２２，２３が駆動軸１１から離れた際の駆動軸１１の近くにストッパー４５を設け、駆動軸１１の揺動範囲を規制しておくものである。
【００４７】
尚、ストッパー４５は、駆動軸１１の左右に設ける場合のみでなく、可動部分のアーム部６６と接するようにしてアーム部６６の揺動範囲を規制するストッパーを設ける場合、又、揺動部材７１の端部が所定位置よりも下方に下がらないように揺動部材７１の下方に設ける場合もある。
このように、この装飾体駆動機構１０は、回動台６１又は揺動部材７１と駆動軸１１とを係合手段によって係合させることにより、容易に装飾体に落ち着いた回動又は上下動をさせることができ、電池の寿命を長くし、１年間などの長期間、装飾体の動作を持続させることができる時計用装飾体の駆動装置を組み上げるのに適した駆動機構である。
【００４８】
又、揺動部材７１の両端を上下に揺動させるに際し、図１２に示すように、アーム部６６を駆動軸１１とするようにしてアーム部６６を突起部２１，２２，２３へ直接に接触させることもある。
この時計用装飾体駆動装置としての実施の形態では、図１３に示すように、揺動部材７１の前後に各々揺動部材７１と一体とする各アーム部６６を設け、この２つのアーム部６６の中間又は中央に回転部材を配置すると共に、アーム部６６の一方を駆動軸１１とし、アーム部６６の他方を補助軸１３として接触部１４を形成するものである。
【００４９】
尚、補助軸１３を湾曲させて接触部１４を形成する場合に限ることなく、駆動軸１１とするアーム部６６と補助軸１３とするアーム部６６とを回動軸となる装飾体支持部５７からずらして揺動部材７１に固定し、駆動軸１１とするアーム部６６及び補助軸１３とするアーム部６６とは平行な直線形状としつつ、後退量を形成するように回動軸から左右にずらして揺動部材７１に駆動軸１１と補助軸１３とを固定するものとし、揺動部材７１の揺動により回転部材の突起部２１，２２，２３が描く円周の外方に直線形状の駆動軸１１と補助軸１３とが交互に位置するようにすることもある。
【００５０】
このように、揺動部材７１と一体とする駆動軸１１と補助軸１３とを設け、駆動軸１１と補助軸１３との間に回転部材を配置し、回転部材の突起部２１，２２，２３を駆動軸１１や補助軸１３と同時に接触させることなく交互に接触させることにより、容易に揺動部材７１の両端を上下に揺動させることができる。
尚、揺動部材７１と一体とする駆動軸１１や補助軸１３を回転部材の突起部２１，２２，２３へ直接に接触させる装飾体駆動装置では、ストッパーを駆動軸１１の両側に設ける場合のみでなく、ストッパーを揺動部材７１の下方などに設けることとし、又は、揺動部材７１の下方に配置している固定部５１などをストッパーとして用いることもある。
【００５１】
そして、水平な回動軸を有する揺動部材７１を用いる場合も、図１０や図１２に示したように、装飾体駆動機構１０の上方に揺動部材７１を配置する場合のみでなく、揺動部材７１を装飾体駆動機構１０の下方に配置することもある。
この場合は、揺動部材７１と一体としたアーム部６６を駆動軸１１と係合させるに際し、駆動軸１１を第１揺動支持部４３よりも下方に延設して駆動軸１１と係合させるものであり、アーム部６６を駆動軸１１や補助軸１３としてアーム部６６を直接に回転部材の突起部２１，２２，２３と接触させる場合は、駆動軸１１とするアーム部６６や補助軸１３とするアーム部６６を揺動部材７１から上方に延設するように設けるものである。
【００５２】
【発明の効果】
請求項１に係る発明は、駆動軸と補助軸とを一体に揺動可能として有すると共に、駆動軸と補助軸との間に回転部材を有し、前記駆動軸と補助軸とは相互に平行であって回転部材の回転平面と垂直な揺動平面を有し、回転部材は、駆動軸や補助軸と接触し得る長さの突起部であって駆動軸と補助軸とに同時には接触しないように周方向に配置されて外方に突出する突起部を備えた時計用装飾体駆動機構とするものである。
【００５３】
従って、回転軸を低速で回転させることにより、駆動軸をゆっくりと往復揺動させ、且つ、揺動方向を変えるときに一旦停止する動作を行わせることができ、駆動軸により装飾体を回動又は揺動させることが容易であって、時計用の装飾体に落ち着いた動作を容易に与えることができる。
又、請求項２に係る発明は、駆動軸と補助軸とを一体に揺動可能として有すると共に、駆動軸と補助軸との間に回転部材を有し、前記駆動軸と補助軸とは相互に平行に且つ回転部材の回転平面と垂直な揺動平面を有し、駆動軸と補助軸との中間に位置する回転部材は、駆動軸や補助軸と接触し得る長さの突起部であってその周方向へ１個の突起部又は回転周方向に等間隔角度とする奇数個の突起部を備えた時計用装飾体駆動機構とするものである。
【００５４】
従って、回転軸を低速で回転させることにより、駆動軸をゆっくりと往復揺動させ、且つ、揺動方向を変えるときに一旦停止する動作を行わせることができ、駆動軸により装飾体を回動又は揺動させることが容易であって、時計用の装飾体に落ち着いた動作を容易に与えることができると共に、回転部材や駆動軸及び補助軸の配置決定及び組立を容易に行うことができる。
【００５５】
そして、請求項３に係る発明は、請求項１又は請求項２に記載した駆動機構を用いた時計用装飾体の駆動装置であって、駆動機構における回転部材の回転軸と同軸又は平行とする回動軸を有する回動台を回転軸の上方又は下方に有し、回動台と駆動軸の先端近くとを係合させることにより、駆動軸の揺動に合わせて回動台を往復回動させる時計用装飾体駆動装置とするものである。
【００５６】
従って、回動台に載置する装飾体をゆったりと左右に回動させ、奥行きの少ない時計体であっても、左右に広い装飾体を用いて見栄えのある落ち着いた動作をする装飾体を時計体に組み込むことができる。
更に、請求項４に係る発明は、請求項１又は請求項２に記載した駆動機構を用いた時計用装飾体の駆動装置であって、駆動機構における回転部材の回転軸の上方又は下方に水平な回動軸を有する揺動部材を有し、揺動部材と一体とするアーム部を駆動軸と係合させると共に、揺動部材に装飾体を載置したときの重心を回動軸の上方とし、駆動軸が所定の揺動幅で停止するストッパーを有する時計用装飾体駆動装置とするものである。
【００５７】
従って、揺動部材の端部に載置する装飾体をゆっくりと上下動させることができ、落ち着いた動作の装飾体を時計体に組み込むことができる。
又、請求項５に係る発明は、揺動部材と一体として回転部材の回転平面と垂直な揺動平面を有する駆動軸と補助軸との間に回転部材を有し、回転部材は、駆動軸や補助軸と接触し得る長さの突起部であって駆動軸と補助軸とに同時には接触しないように周方向に配置されて外方に突出する突起部を備え、回転部材の上方又は下方に水平な回動軸を有する揺動部材を備え、揺動部材に装飾体を載置したときの重心を回動軸の上方とし、駆動軸が所定の揺動幅で停止するストッパーを有する時計用装飾体駆動装置とするものである。
【００５８】
従って、単純な構造であっても、揺動部材の端部に載置する装飾体をゆっくりと上下動させることができ、落ち着いた動作の装飾体を組み込むことができる。
【図面の簡単な説明】
【図１】本発明に係る装飾体駆動機構の要部を示す斜視図。
【図２】本発明に係る装飾体駆動機構を用いた装飾体駆動装置を示す斜視図。
【図３】本発明に係る装飾体駆動機構を用いた装飾体駆動装置を示す側面図。
【図４】本発明に係る装飾体駆動機構の動作を示す模式図。
【図５】本発明に係る装飾体駆動機構の動作を示す模式図。
【図６】本発明に係る装飾体駆動機構の他の実施の形態を示す図。
【図７】本発明に係る装飾体駆動機構の更に他の実施の形態における要部を示す斜視図。
【図８】本発明に係る装飾体駆動機構の更に他の実施の形態における要部を示す模式図。
【図９】本発明に係る装飾体駆動機構の更に他の実施の形態における動作を示す模式図。
【図１０】本発明に係る装飾体駆動機構を用いた他の装飾体駆動装置を示す斜視図。
【図１１】本発明に係る装飾体駆動機構を用いた他の装飾体駆動装置の可動部分を示す正面図。
【図１２】本発明に係る他の装飾体駆動装置の一例を示す斜視図。
【図１３】本発明に係る他の装飾体駆動装置の一例を示す断面側面図。
【図１４】本発明に係る他の装飾体駆動装置の一例の可動部分を示す図。
【符号の説明】
１０  装飾体駆動機構
１１  駆動軸                    １３  補助軸
１４  接触部                    １５  連結部
１７  回転板                    ２１〜２５  突起部
３１  モーター                  ３３  回転軸
４１  台座
４３  第１揺動支持部            ４４  第２揺動支持部
４５  ストッパー
５１  固定部                    ５３  固定脚
５５，５６  反発磁石
５７  装飾体支持部
６１  回動台                    ６３  回動軸
６５  係合部                    ６６  アーム部
７１  揺動部材                  ７３  人形
【図１】
0003573326.tif 000002
【図２】
0003573326.tif 000003
【図３】
0003573326.tif 000004
【図４】
0003573326.tif 000005
【図５】
0003573326.tif 000006
【図６】
0003573326.tif 000007
【図７】
0003573326.tif 000008
【図８】
0003573326.tif 000009
【図９】
0003573326.tif 000010
【図１０】
0003573326.tif 000011
【図１１】
0003573326.tif 000012
【図１２】
0003573326.tif 000013
【図１３】
0003573326.tif 000014
【図１４】
0003573326.tif 000015